(57)【特許請求の範囲】
【請求項１】
原稿の画像情報を読み取る読取手段と、
画像データを印刷する印刷手段、画像データを送信する送信手段、画像データを蓄積する蓄積手段を含む、画像データを出力する複数出力手段と、
ユーザからの動作設定を入力する操作手段と、
画像形成装置の動作設定を表示する表示制御手段と、
出力実行中に画像形成装置の出力設定を表示する出力設定表示手段と、
出力実行中であって、前記読取手段による読取動作が完了した後に、ユーザから次のジョブの予約要求がされると、表示画面を次の出力要求の動作設定を入力可能な表示画面に切り替え、次の予約の動作設定を入力可能とする予約動作入力手段と、
ジョブの実行管理と複数のジョブが実行される際の実行順管理を行う要求管理手段と、
入力と出力を組み合わせたジョブの実行制御を行うジョブ制御手段と
を備え、
前記読取手段により読み取った原稿の画像データを前記複数出力手段に含まれる各手段のうちの複数に並行して出力する多出力の予約を前記予約動作入力手段により行うことを特徴とする画像形成装置。
【請求項２】
請求項１に記載の画像形成装置において、
予約したジョブの出力設定を表示する予約ジョブ出力設定表示手段
を更に備えたことを特徴とする画像形成装置。
【請求項３】
請求項１または２のいずれか一項に記載の画像形成装置において、
予約したジョブの削除を行う予約ジョブ削除手段
を更に備えたことを特徴とする画像形成装置。
【請求項４】
請求項１乃至３のいずれか一項に記載の画像形成装置において、
予約したジョブの出力設定の変更を行う予約ジョブ設定変更手段
を更に備えたことを特徴とする画像形成装置。
【請求項５】
請求項１乃至４のいずれか一項に記載の画像形成装置において、
予約した多出力のジョブの出力先を個別に削除する個別出力削除手段
を更に備え、
出力先を削除した際に、前記要求管理手段および前記ジョブ制御手段は、出力先を削除したジョブより実行順の早い予約ジョブの出力と出力先を削除したジョブの残った出力に同じものがないときに出力先を削除したジョブの実行を行うことを特徴とする画像形成装置。
【請求項６】
請求項１乃至５のいずれか一項に記載の画像形成装置において、
予約した多出力のジョブの出力先を個別に追加する予約ジョブの個別出力追加手段
を更に備えたことを特徴とする画像形成装置。
【請求項７】
請求項１乃至６のいずれか一項に記載の画像形成装置において、
予約した多出力のジョブの出力先を個別に変更する予約ジョブの個別出力変更手段
を更に備え、
出力先を変更した際に、前記要求管理手段および前記ジョブ制御手段は、出力先を変更したジョブより実行順の早い予約ジョブの出力と出力先を変更したジョブの出力に同じものがないときに出力先を削除したジョブの実行を行うことを特徴とする画像形成装置。
【発明の詳細な説明】
【技術分野】
【０００１】
本発明は、ＭＦＰ（Multi Function Printer）等の画像形成装置の制御技術に関する。
【背景技術】
【０００２】
印刷と送信を行うことができる画像形成装置が既に知られている。かかる画像形成装置では、印刷実行中に次に行いたい印刷の予約をすることができ、実行中の印刷が終了すると予約した印刷が実行する。同様に、送信実行中に次に行いたい送信の予約をすることができ、実行中の送信が終了すると予約した送信が実行する。
【０００３】
特許文献１には、コピーの印刷実行中に次に行いたいコピーの印刷を予約することができる画像形成装置が開示され、この画像形成装置は、次に行いたいコピーの動作設定を入力可能にする画面と、予約したコピーの印刷を印刷実行中のジョブが終了した後に実行するように制御する構成とが示されている。
【発明の概要】
【発明が解決しようとする課題】
【０００４】
上述したように、印刷と送信といった出力についてそれぞれ予約を行うことができる画像形成装置が提案されている。しかし、従来の画像形成装置では、印刷と送信の多出力の予約を同時に行うことができず、印刷の予約と送信の予約とで計２回の操作を行う必要があった。そのため、操作が煩雑であるという問題があった。
【０００５】
本発明は上記の従来の問題点に鑑み提案されたものであり、その目的とするところは、印刷と送信といった多出力の予約を同時に行うことのできる画像形成装置を提供することにある。
【課題を解決するための手段】
【０００６】
上記の課題を解決するため、本発明にあっては、請求項１に記載されるように、原稿の画像情報を読み取る読取手段と、画像データを印刷する印刷手段、画像データを送信する送信手段、画像データを蓄積する蓄積手段を含む、画像データを出力する複数出力手段と、ユーザからの動作設定を入力する操作手段と、画像形成装置の動作設定を表示する表示制御手段と、出力実行中に画像形成装置の出力設定を表示する出力設定表示手段と、出力実行中であって、前記読取手段による読取動作が完了した後に、ユーザから次のジョブの予約要求がされると、表示画面を次の出力要求の動作設定を入力可能な表示画面に切り替え、次の予約の動作設定を入力可能とする予約動作入力手段と、ジョブの実行管理と複数のジョブが実行される際の実行順管理を行う要求管理手段と、入力と出力を組み合わせたジョブの実行制御を行うジョブ制御手段とを備え、前記読取手段により読み取った原稿の画像データを前記複数出力手段に含まれる各手段のうちの複数に並行して出力する多出力の予約を前記予約動作入力手段により行う画像形成装置を要旨としている。
【０００７】
また、請求項２に記載されるように、請求項１に記載の画像形成装置において、予約したジョブの出力設定を表示する予約ジョブ出力設定表示手段を更に備えるようにすることができる。
【０００８】
また、請求項３に記載されるように、請求項１または２のいずれか一項に記載の画像形成装置において、予約したジョブの削除を行う予約ジョブ削除手段を更に備えるようにすることができる。
【０００９】
また、請求項４に記載されるように、請求項１乃至３のいずれか一項に記載の画像形成装置において、予約したジョブの出力設定の変更を行う予約ジョブ設定変更手段を更に備えるようにすることができる。
【００１０】
また、請求項５に記載されるように、請求項１乃至４のいずれか一項に記載の画像形成装置において、予約した多出力のジョブの出力先を個別に削除する個別出力削除手段を更に備え、出力先を削除した際に、前記要求管理手段および前記ジョブ制御手段は、出力先を削除したジョブより実行順の早い予約ジョブの出力と出力先を削除したジョブの残った出力に同じものがないときに出力先を削除したジョブの実行を行うようにすることができる。
【００１１】
また、請求項６に記載されるように、請求項１乃至５のいずれか一項に記載の画像形成装置において、予約した多出力のジョブの出力先を個別に追加する予約ジョブの個別出力追加手段を更に備えるようにすることができる。
【００１２】
また、請求項７に記載されるように、請求項１乃至６のいずれか一項に記載の画像形成装置において、予約した多出力のジョブの出力先を個別に変更する予約ジョブの個別出力変更手段を更に備え、出力先を変更した際に、前記要求管理手段および前記ジョブ制御手段は、出力先を変更したジョブより実行順の早い予約ジョブの出力と出力先を変更したジョブの出力に同じものがないときに出力先を削除したジョブの実行を行うようにすることができる。
【発明の効果】
【００１３】
本発明の画像形成装置にあっては、印刷と送信といった多出力の予約を同時に行うことができ、印刷と送信といった複数の出力の予約を１回の操作で行うことができるので、手間を省くことができる。
【図面の簡単な説明】
【００１４】
【図１】本発明の一実施形態にかかる画像形成装置のハードウェア構成例を示す図である。
【図２】本発明の一実施形態にかかる画像形成装置のソフトウェア構成例を示す図である。
【図３】制御動作に用いられるジョブ実行順管理テーブルおよび利用機能テーブルの例を示す図である。
【図４Ａ】実施形態の基本的な処理例を示すシーケンス図（その１）である。
【図４Ｂ】実施形態の基本的な処理例を示すシーケンス図（その２）である。
【図４Ｃ】実施形態の基本的な処理例を示すシーケンス図（その３）である。
【図５Ａ】表示部（操作部兼用）に表示される設定画面の例を示す図（その１）である。
【図５Ｂ】表示部（操作部兼用）に表示される設定画面の例を示す図（その２）である。
【図５Ｃ】表示部（操作部兼用）に表示される設定画面の例を示す図（その３）である。
【図６Ａ】利用機能テーブルの例を示す図（その１）である。
【図６Ｂ】利用機能テーブルの例を示す図（その２）である。
【図６Ｃ】利用機能テーブルの例を示す図（その３）である。
【図６Ｄ】利用機能テーブルの例を示す図（その４）である。
【図７Ａ】ジョブ実行順管理テーブルの例を示す図（その１）である。
【図７Ｂ】ジョブ実行順管理テーブルの例を示す図（その２）である。
【図８】他の実施形態における画像形成装置の構成例を示す図である。
【図９Ａ】表示部に表示される他の画面の例を示す図（その１）である。
【図９Ｂ】表示部に表示される他の画面の例を示す図（その２）である。
【図９Ｃ】表示部に表示される他の画面の例を示す図（その３）である。
【図９Ｄ】表示部に表示される他の画面の例を示す図（その４）である。
【図１０Ａ】個別出力の削除を伴う処理例を示すシーケンス図（その１）である。
【図１０Ｂ】個別出力の削除を伴う処理例を示すシーケンス図（その２）である。
【図１０Ｃ】個別出力の削除を伴う処理例を示すシーケンス図（その３）である。
【図１１Ａ】個別出力の追加を伴う処理例を示すシーケンス図（その１）である。
【図１１Ｂ】個別出力の追加を伴う処理例を示すシーケンス図（その２）である。
【図１２】表示部に表示される他の画面の例を示す図（その５）である。
【図１３Ａ】個別出力の変更を伴う処理例を示すシーケンス図（その１）である。
【図１３Ｂ】個別出力の変更を伴う処理例を示すシーケンス図（その２）である。
【発明を実施するための形態】
【００１５】
以下、本発明の好適な実施形態につき説明する。
【００１６】
＜第１の実施形態：構成＞
図１は本発明の一実施形態にかかる画像形成装置１のハードウェア構成例を示す図である。
【００１７】
図１において、画像形成装置１は、バス１０２に接続されたＣＰＵ（Central Processing Unit）１０３、記憶装置１０４、ネットワークＩ／Ｆ（Interface）１０５および外部メディアＩ／Ｆ１０６を含むコントローラ１０１を備えている。
【００１８】
コントローラ１０１は画像形成装置１の主たる制御動作を行う部分である。ＣＰＵ１０３は、コンピュータプログラムの実行により所定の制御処理を行う部分である。記憶装置１０４は、ＲＡＭ（Random Access Memory）、ＲＯＭ（Read Only Memory）、ＨＤＤ（Hard Disk Drive）等のデータ記憶媒体である。ネットワークＩ／Ｆ１０５は、ＰＣ（Personal Computer）等の外部機器２２との間でデータ通信を行う部分である。外部メディアＩ／Ｆ１０６は、フラッシュメモリ等の外部メディア２３との間でデータの読み書きを行う部分である。
【００１９】
また、画像形成装置１は、コントローラ１０１のバス１０２に接続された操作部１０７、表示部１０８、プロッタデバイス１０９、スキャナデバイス１１０およびＦＡＸデバイス１１１を備えている。操作部１０７は、ユーザにより操作されるボタンおよびタッチパネルを含む。表示部１０８は、液晶パネル等により構成され、画像形成装置１の設定内容や状態を表示する部分である。プロッタデバイス１０９は、用紙への印字を行う部分である。スキャナデバイス１１０は、原稿の読み取りを行う部分である。ＦＡＸデバイス１１１は、電話回線を介してＦＡＸ専用機等の外部機器２１との間でファクシミリ送受信を行う部分である。
【００２０】
図２は本発明の一実施形態にかかる画像形成装置１のソフトウェア構成例を示す図である。
【００２１】
図２において、画像形成装置１は、共通の制御部として、表示制御部１２１、要求管理部１２２、実行順制御部１２３、ジョブ制御部１２４および出力順制御部１２５を備えている。
【００２２】
表示制御部１２１は、操作部１０７（図１）のキー押下情報を受け、表示部１０８への画面の表示、画面の遷移、要求管理部１２２への実行指示を行う機能を有している。
【００２３】
要求管理部１２２は、ジョブ単位の実行管理を行う部分であり、内部機能の一つとして実行順制御部１２３を有している。実行順制御部１２３は、複数のジョブが実行される際の実行順管理を行う機能を有している。
【００２４】
ジョブ制御部１２４は、入力と出力を組み合わせたジョブの実行制御を行う部分であり、内部機能の一つとして出力順制御部１２５を有している。出力順制御部１２５は、複数の出力の順序制御を行う機能を有している。
【００２５】
また、入力群として、ＦＡＸ受信制御部１２６、読み取り制御部１２７、ＰＣ受信制御部１２８および文書読み出し制御部１２９を有している。
【００２６】
ＦＡＸ受信制御部１２６は、外部機器２１（図１）より電話回線を利用して送られてくるデータを解析し、画像形成装置１内で取り扱い可能な形の画像データを生成する画像入力機能を提供する。
【００２７】
読み取り制御部１２７は、画像形成装置１内のスキャナデバイス１１０を制御することで原稿を読み取り、画像形成装置１内で取り扱い可能な形で画像データを生成する画像入力機能を提供する。
【００２８】
ＰＣ受信制御部１２８は、ネットワークで送られてくるＰＣからのデータを解析し、画像形成装置１内で取り扱い可能な形の画像データを生成する画像入力機能を提供する。
【００２９】
文書読み出し制御部１２９は、画像形成装置１内の記憶装置１０４やＳＤカード等の外部メディア２３に保管文書として記憶されている画像データを、画像形成装置１内で取り扱い可能な形の画像データに変換する画像入力機能を提供する。
【００３０】
また、出力群として、印刷制御部１３０、ＦＡＸ送信制御部１３１、文書蓄積制御部１３２およびメール送信制御部１３３を有している。
【００３１】
印刷制御部１３０は、画像形成装置１内のプロッタデバイス１０９を制御することで、画像形成装置１内で加工された画像データを紙などの媒体に転写することによって機器外に出力する画像出力機能を提供する。
【００３２】
ＦＡＸ送信制御部１３１は、画像形成装置１から電話回線を介して外部機器２１に画像データを送出する画像出力機能を提供する。
【００３３】
文書蓄積制御部１３２は、画像データを画像形成装置１内の記憶装置１０４やＳＤカード等の外部メディア２３に保管文書として記憶する画像出力機能を提供する。
【００３４】
メール送信制御部１３３は、画像形成装置１からネットワークに画像データを送出する画像出力機能を提供する。
【００３５】
図３は制御動作に用いられるジョブ実行順管理テーブルＴ１および利用機能テーブルＴ２の例を示す図である。
【００３６】
図３において、要求管理部１２２は、ジョブの実行順を管理するためのデータとしてジョブ実行順管理テーブルＴ１を有し、ジョブ制御部１２４は、ジョブが利用している機能を管理するためのデータとして利用機能テーブルＴ２を有している。
【００３７】
ジョブ実行順管理テーブルＴ１は、要求管理部１２２が記憶領域上に実行管理処理のために一時的に保存することで保持しているデータである。縦軸にジョブ、横軸にシステム上利用可能な機能の利用の有無が並んでいる。ユーザがジョブの実行要求を行うたびに、投入されたジョブのデータをジョブ実行順管理テーブルＴ１上に作成し、ジョブが利用している機能が何かを記載する。ジョブのデータは、新規ジョブが作成されるごとにテーブル下部から上部に向かって追加、記載していくが、ジョブの実行状態が変化するたびに最新の実行順にソートされる。
【００３８】
利用機能テーブルＴ２は、ジョブ制御部１２４が記憶領域上に実行管理処理のために一時的に保存することで保持しているデータである。このデータはジョブごとに存在し、利用できる機能とその利用状態を入力と出力に分けて記載している。利用状態としては、このジョブを実行する上で不要な機能であることを示す「不使用」、このジョブを実行する上で必要な機能であるか、機能が利用されているか（情報を得ていないので）不明な状態であることを示す「利用予定」、このジョブを実行する上で必要な機能であり、他のジョブで使用されているので順番待ちしている状態を示す「空き待ち」、このジョブを実行する上で必要な機能であり、このジョブ実行で実際に使用している状態を示す「利用中」がある。加えて、出力に関しては、どのようなタイミングで出力動作を開始するかについての設定を記載している。ここでは「一斉実行」が設定されているが、他に「順次実行」がある。
【００３９】
＜第１の実施形態：動作＞
図４Ａ〜図４Ｃは上記の実施形態の基本的な処理例を示すシーケンス図である。また、図５Ａ〜図５Ｃは表示部１０８（操作部１０７兼用）に表示される設定画面の例を示す図、図６Ａ〜図６Ｄは利用機能テーブルＴ２の例を示す図、図７Ａ、図７Ｂはジョブ実行順管理テーブルＴ１の例を示す図である。
【００４０】
以下、ジョブ＃１として入力：読み取り、出力：印刷、ＦＡＸ送信、ジョブ＃２として入力：読み取り、出力：印刷、ＦＡＸ送信を順次に投入する場合を例に、多出力ジョブの予約と実行の処理例について説明する。
【００４１】
先ず、画像形成装置１に実行中のジョブも予約中のジョブもない状態から１ジョブ目の投入を行う場合について説明する。
【００４２】
図４Ａにおいて、表示制御部１２１により表示部１０８（操作部１０７兼用）に表示される動作設定画面を利用してユーザは設定を行う（ステップＳ１０１）。ここでは、設定内容を動作設定＃１とする。
【００４３】
図５Ａは動作設定画面の例を示しており、領域１４１にはステータス等のメッセージ１４２と受け付けられるジョブ番号１４３とが表示されている。領域１４４の領域１４５には入力として利用可能な機能が表示され、文字列「▽入力」の横には選択中の入力機能１４６が表示される。領域１４７の領域１４８には出力として利用可能な機能が表示される。
【００４４】
ユーザは設定が終わると、操作部１０７のスタートキー（図示せず）を押下して画像形成装置１に対してジョブの実行を指示する。ユーザが操作部１０７のスタートキーを押下することにより、操作部１０７はスタートキーが押下されたことを表示制御部１２１に通知する。
【００４５】
図４Ａに戻り、表示制御部１２１はスタートキーの押下の通知を受けて、動作設定として画面で設定されているパラメータ郡"動作設定＃１"を伴って要求管理部１２２に対して実行要求の"投入"を指示する（ステップＳ１０２）。
【００４６】
表示制御部１２１から"投入"指示を受けると、要求管理部１２２は、受け取った"動作設定＃１"を伴ってジョブ制御部１２４に対して"ジョブ生成"を指示する（ステップＳ１０３）。"ジョブ生成"指示を受けると、ジョブ制御部１２４は、受け取った"動作設定＃１"の内容を実行するための"ジョブ＃１"を生成し、要求元の要求管理部１２２に返す（ステップＳ１０４）。なお、ジョブ制御部１２４は、"動作設定＃１"を解析し、"ジョブ＃１"で利用する入力機能、出力機能の使用状態を利用機能テーブルＴ２に記載する。図６Ａはこの時点における利用機能テーブルＴ２の例を示しており、ジョブ＃１は、入力機能として"読み取り"、出力機能として、"印刷"、"ＦＡＸ送信"を利用するので、それらが"利用予定"になっている。利用しない機能は、"不使用"になっている。
【００４７】
図４Ａに戻り、ジョブが生成されると、要求管理部１２２は、"ジョブ＃１"を実行するためのリソースの状況を確認するために、"ジョブ＃１"を伴ってジョブ制御部１２４に対して"問い合わせ"を指示する（ステップＳ１０５）。
【００４８】
"問い合わせ"指示を受けると、ジョブ制御部１２４は、受け取った"ジョブ＃１"の利用機能テーブルＴ２を参照し、"利用予定"になっている機能に対応する制御部（読み取り制御部１２７、印刷制御部１３０、ＦＡＸ送信制御部１３１）に対して、"ジョブ＃１"を伴って"問い合わせ"を実施する（ステップＳ１０６、Ｓ１０８、Ｓ１１０）。
【００４９】
"問い合わせ"指示を受けた各制御部は、現在実行されているジョブがあるのかを確認し、ジョブ実行を受け付けることが可能かどうかを返す（ステップＳ１０７、Ｓ１０９、Ｓ１１１）。ここでは、何も実行されているものがないので、各制御部からは、"ＯＫ"が返答される。すなわち、読み取り：ＯＫ、印刷：ＯＫ、ＦＡＸ送信：ＯＫとなる。
【００５０】
ジョブ制御部１２４は、この結果を、利用機能テーブルＴ２に記録する。この時点での"ジョブ＃１"の利用機能テーブルＴ２は、図６Ｂに示すように、以前の"利用予定"が"利用ＯＫ"になる。そして、図４Ａに戻り、ジョブ制御部１２４は、この結果を要求管理部１２２に返答する（ステップＳ１１２）。全ての機能が利用可能状態にあるので、"全ＯＫ"を返答する。
【００５１】
ジョブ制御部１２４からの返答を受けると、要求管理部１２２は、実行順制御部１２３を使って"実行順判断"を行う（ステップＳ１１３）。この際、要求管理部１２２は、"ジョブ＃１"の利用機能テーブルＴ２を参照して、ジョブ実行順管理テーブルＴ１にエントリを追加する。基本的に、新規エントリは投入された順番にジョブ実行順管理テーブルＴ１の下部から上部に積み上がっていく。この時点でのジョブ実行順管理テーブルＴ１の例を図７Ａに示す。
【００５２】
また、図４Ａにおいて、実行順制御部１２３による"実行順判断"は、ジョブ間で利用機能の競合がないので、"ジョブ＃１"はすぐに実行可能な状態（"実行全ＯＫ"）にあると判断される（ステップＳ１１４）。
【００５３】
続いて、要求管理部１２２は、先の判断結果に基づき、ジョブ制御部１２４に対して、実行対象のジョブである"ジョブ＃１"と実行を許可する機能の指定である"読み取り：ＯＫ、印刷：ＯＫ、ＦＡＸ送信：ＯＫ"を指定して"実行"を指示する（ステップＳ１１５）。
【００５４】
"実行"指示を受けると、ジョブ制御部１２４は、出力順制御部１２５を利用して、出力可否チェックを行う（ステップＳ１１６）。出力順制御部１２５は、出力のタイミングを判断する役割を持っていて、本実施形態では、一斉に実行するためのタイミングを判定している。出力順制御部１２５は、"ジョブ＃１"の利用機能テーブルＴ２を元に出力を開始してもよいか否か判断する。ここでは、利用出力機能の印刷、ＦＡＸ送信がどちらも"利用ＯＫ"であるので、出力可能である（"ＯＫ"）と判断される（ステップＳ１１７）。
【００５５】
そのため、ジョブ制御部１２４は、要求管理部１２２から実行を許可された機能、ここでは"読み取り：ＯＫ、印刷：ＯＫ、ＦＡＸ送信：ＯＫ"であるので、読み取り制御部１２７、印刷制御部１３０、ＦＡＸ送信制御部１３１に対して、"実行"を指示していく（ステップＳ１１８〜Ｓ１２３）。ジョブ制御部１２４は、この指示の後、利用機能テーブルＴ２を更新する。更新後の利用機能テーブルＴ２は、図６Ｃに示すように、以前の"利用ＯＫ"が"利用中"になる。
【００５６】
図４Ａに戻り、実行指示が完了してジョブ制御部１２４から要求管理部１２２に応答があると（ステップＳ１２４）、要求管理部１２２は生成した"ジョブ＃１"を表示制御部１２１に渡す（ステップＳ１２５）。
【００５７】
その後、読み取り制御部１２７で管理する読み取り動作が完了すると、読み取り制御部１２７は、対象のジョブである"ジョブ＃１"を伴ってジョブ制御部１２４に対して"実行完了"を伝える（ステップＳ１２６）。
【００５８】
これを受け、ジョブ制御部１２４は、利用機能テーブルＴ２を更新し（読み取り：利用中→読み取り：利用完了）、要求管理部１２２に対し、次のジョブを受け付け可能になった（"次ジョブＯＫ"）ことを伝える（ステップＳ１２７）。
【００５９】
これを受け、要求管理部１２２は、表示制御部１２１に対して次の要求の受け付けが可能になった（"要求受付可"）ことを伝える（ステップＳ１２８）。表示制御部１２１から読み取り制御部１２７へは応答が行われる（ステップＳ１２９〜Ｓ１３１）。
【００６０】
これにより、表示制御部１２１は、動作設定画面に予約キーを表示して、ユーザに対して次のジョブが受付可能になったことを知らせる。図５Ｂは動作設定画面の例を示しており、画面上方に「新規予約」という見出しの予約キー１４９が表示されている。
【００６１】
次に、１ジョブ目の実行中における２ジョブ目の実行予約を説明する。基本的には、１ジョブ目の実行と同様の流れになる。
【００６２】
図４Ｂにおいて、表示制御部１２１により表示部１０８（操作部１０７兼用）に表示される動作設定画面を利用してユーザは設定を行う（ステップＳ１３２）。ここでは、設定内容を動作設定＃２とする。
【００６３】
設定開始時の動作設定画面は図５Ｂに示したようなものとなっており、予約キー１４９を押下することで、図５Ｃのような動作設定画面となり、ユーザに条件設定を促す。領域１４１の表示は、図５Ａと比べ、メッセージ１４２が「実行できます。」から「予約できます。」に変更され、ジョブ番号１４３が"ジョブ＃１"から"ジョブ＃２"に変更されている。
【００６４】
ユーザは設定が終わると、操作部１０７のスタートキー（図示せず）を押下して画像形成装置１に対してジョブの実行を指示する。ユーザが操作部１０７のスタートキーを押下することにより、操作部１０７はスタートキーが押下されたことを表示制御部１２１に通知する。
【００６５】
図４Ｂに戻り、表示制御部１２１はスタートキーの押下の通知を受けて、動作設定として画面で設定されているパラメータ郡"動作設定＃２"を伴って要求管理部１２２に対して実行要求の"投入"を指示する（ステップＳ１３３）。
【００６６】
表示制御部１２１から"投入"指示を受けると、要求管理部１２２は、受け取った"動作設定＃２"を伴ってジョブ制御部１２４に対して"ジョブ生成"を指示する（ステップＳ１３４）。"ジョブ生成"指示を受けると、ジョブ制御部１２４は、受け取った"動作設定＃２"の内容を実行するための"ジョブ＃２"を生成し、要求元の要求管理部１２２に返す（ステップＳ１３５）。なお、ジョブ制御部１２４は、"動作設定＃２"を解析し、"ジョブ＃２"で利用する入力機能、出力機能の使用状態を利用機能テーブルＴ２に記載する。
【００６７】
ジョブが生成されると、要求管理部１２２は、"ジョブ＃２"を実行するためのリソースの状況を確認するために、"ジョブ＃２"を伴ってジョブ制御部１２４に対して"問い合わせ"を指示する（ステップＳ１３６）。
【００６８】
"問い合わせ"指示を受けると、ジョブ制御部１２４は、受け取った"ジョブ＃２"の利用機能テーブルＴ２を参照し、"利用予定"になっている機能に対応する制御部（読み取り制御部１２７、印刷制御部１３０、ＦＡＸ送信制御部１３１）に対して、"ジョブ＃２"を伴って"問い合わせ"を実施する（ステップＳ１３７、Ｓ１３９、Ｓ１４１）。
【００６９】
"問い合わせ"指示を受けた各制御部は、現在実行されているジョブがあるのかを確認し、ジョブ実行を受け付けることが可能かどうかを返す（ステップＳ１３８、Ｓ１４０、Ｓ１４２）。ここでは、読み取り動作は完了しているため読み取り制御部１２７からは"ＯＫ"が返答されるが、"ジョブ＃１"で印刷とＦＡＸ送信を利用中であるので、印刷制御部１３０とＦＡＸ送信制御部１３１からはそれぞれ"ＮＧ"が返答される。
【００７０】
ジョブ制御部１２４は、この結果を、利用機能テーブルＴ２に記録する。この時点での"ジョブ＃２"の利用機能テーブルＴ２は、図６Ｄに示すようなものとなる。そして、図４Ｂに戻り、ジョブ制御部１２４は、この結果、読み取り：ＯＫ、印刷：ＮＧ、送信：ＮＧを要求管理部１２２に返答する（ステップＳ１４３）。
【００７１】
ジョブ制御部１２４からの返答を受けると、要求管理部１２２は、実行順制御部１２３を使って"実行順判断"を行う（ステップＳ１４４）。この際、要求管理部１２２は、"ジョブ＃２"の利用機能テーブルＴ２を参照して、ジョブ実行順管理テーブルＴ１にエントリを追加する。この時点でのジョブ実行順管理テーブルＴ１の例を図７Ｂに示す。
【００７２】
また、図４Ｂにおいて、実行順制御部１２３による"実行順判断"では、"ジョブ＃２"の利用機能テーブルＴ２から、印刷、ＦＡＸ送信は空きを待っている状態で、読み取りのみ利用可能な状態であることと、ジョブ実行順管理テーブルＴ１から"ジョブ＃２"が利用予定の出力機能と、"ジョブ＃２"の前に実行しているジョブ（"ジョブ＃１"）が利用している機能とが競合していることがわかるため、判断結果は、読み取りのみ実行可能（"入力：ＯＫ"）となる（ステップＳ１４５）。
【００７３】
続いて、要求管理部１２２は、先の判断結果に基づき、ジョブ制御部１２４に対して、実行対象のジョブである"ジョブ＃２"と実行を許可する機能の指定である"読み取り：ＯＫ"を指定して"実行"を指示する（ステップＳ１４６）。
【００７４】
"実行"指示を受けると、ジョブ制御部１２４は、出力順制御部１２５を利用して、出力可否チェックを行う（ステップＳ１４７）。出力順制御部１２５は、"ジョブ＃２"の利用機能テーブルＴ２を元に出力を開始してもよいか否か判断する。ここでは、利用予定の出力機能（印刷、ＦＡＸ送信）が"空き待ち"であるので、まだ出力を開始できる状況ではないということで、"ＮＧ"と判断される（ステップＳ１４８）。
【００７５】
そのため、ジョブ制御部１２４は、要求管理部１２２から実行を許可された機能、ここでは"読み取り：ＯＫ"であるので、読み取り制御部１２７に対してのみ"実行"を指示する（ステップＳ１４９、Ｓ１５０）。ジョブ制御部１２４は、この指示の後、利用機能テーブルＴ２を更新し、実行を指示した"読み取り"につき、以前の"利用ＯＫ"から"利用中"に変更する。
【００７６】
実行指示が完了してジョブ制御部１２４から要求管理部１２２に応答があると（ステップＳ１５１）、要求管理部１２２は生成した"ジョブ＃２"を表示制御部１２１に渡す（ステップＳ１５２）。
【００７７】
その後、読み取り制御部１２７で管理する読み取り動作が完了すると、読み取り制御部１２７は、対象のジョブである"ジョブ＃２"を伴ってジョブ制御部１２４に対して"実行完了"を伝える（ステップＳ１５３）。
【００７８】
これを受け、ジョブ制御部１２４は、利用機能テーブルＴ２を更新し（読み取り：利用中→読み取り：利用完了）、要求管理部１２２に対し、次のジョブを受け付け可能になった（"次ジョブＯＫ"）ことを伝える（ステップＳ１５４）。
【００７９】
これを受け、要求管理部１２２は、表示制御部１２１に対して次の要求の受け付けが可能になった（"要求受付可"）ことを伝える（ステップＳ１５５）。表示制御部１２１から読み取り制御部１２７へは応答が行われる（ステップＳ１５６〜Ｓ１５８）。
【００８０】
次に図４Ｃにおいて、印刷制御部１３０で管理する印刷動作が完了すると、印刷制御部１３０は、対象のジョブである"ジョブ＃１"を伴ってジョブ制御部１２４に対して"実行完了"を伝える（ステップＳ１５９）。
【００８１】
これを受け、ジョブ制御部１２４は、"ジョブ＃１"の利用機能テーブルＴ２を更新し（印刷：利用中→印刷：利用完了）、印刷制御部１３０に応答を返す（ステップＳ１６０）。
【００８２】
次いで、印刷制御部１３０は、"ジョブ＃２"を伴ってジョブ制御部１２４に対して"実行可能"を伝える（ステップＳ１６１）。
【００８３】
これを受け、ジョブ制御部１２４は、"ジョブ＃２"の利用機能テーブルＴ２を更新し（印刷：空き待ち→印刷：利用ＯＫ）、"ジョブ＃２"を伴って要求管理部１２２に"印刷：空き（ジョブ＃２）"を伝える（ステップＳ１６２）。
【００８４】
これを受け、要求管理部１２２は、実行順制御部１２３を使って"実行順判断"を行うが（ステップＳ１６３）、このタイミングでは、まだＦＡＸ送信が完了していないため、実行順判断はＮＧとなる（ステップＳ１６４）。要求管理部１２２から印刷制御部１３０へは応答が行われる（ステップＳ１６５、Ｓ１６６）。
【００８５】
その後、ＦＡＸ送信制御部１３１で管理するＦＡＸ送信動作が完了すると、ＦＡＸ送信制御部１３１は、対象のジョブである"ジョブ＃１"を伴ってジョブ制御部１２４に対して"実行完了"を伝える（ステップＳ１６７）。
【００８６】
これを受け、ジョブ制御部１２４は、"ジョブ＃１"の利用機能テーブルＴ２を更新し（ＦＡＸ送信：利用中→ＦＡＸ送信：利用完了）、"ジョブ＃１"を伴って要求管理部１２２に"実行完了"を伝える（ステップＳ１６８）。
【００８７】
これを受け、要求管理部１２２は、表示制御部１２１に"ジョブ＃１"を伴って"実行完了"を伝え（ステップＳ１６９）、表示制御部１２１は表示部１０８に"ジョブ＃１"の完了を表示する。表示制御部１２１からＦＡＸ送信制御部１３１へは応答が行われる（ステップＳ１７０〜Ｓ１７２）。
【００８８】
次いで、ＦＡＸ送信制御部１３１は、"ジョブ＃２"を伴ってジョブ制御部１２４に対して"実行可能"を伝える（ステップＳ１７３）。
【００８９】
これを受け、ジョブ制御部１２４は、"ジョブ＃２"の利用機能テーブルＴ２を更新し（ＦＡＸ送信：空き待ち→ＦＡＸ送信：利用ＯＫ）、"ジョブ＃２"を伴って要求管理部１２２に"印刷：空き（ジョブ＃２）"を伝える（ステップＳ１７４）。
【００９０】
これを受け、要求管理部１２２は、実行順制御部１２３を使って"実行順判断"を行い（ステップＳ１７５）、このタイミングになると、"ジョブ＃２"が利用予定の出力機能が全て利用可能な状態になるので、実行順判断では"全出力ＯＫ"となる（ステップＳ１７６）。
【００９１】
そのため、要求管理部１２２は、"ジョブ＃２"および"全出力：ＯＫ"を伴ってジョブ制御部１２４に対して"実行"を指示する（ステップＳ１７７）。
【００９２】
"実行"指示を受けると、ジョブ制御部１２４は、印刷制御部１３０およびＦＡＸ送信制御部１３１に対して"実行"を指示していく（ステップＳ１７８〜Ｓ１８１）。ジョブ制御部１２４からＦＡＸ送信制御部１３１へは応答が返される（ステップＳ１８２〜Ｓ１８４）。
【００９３】
その後、印刷制御部１３０で管理する印刷動作が完了すると、印刷制御部１３０は、対象のジョブである"ジョブ＃２"を伴ってジョブ制御部１２４に対して"実行完了"を伝える（ステップＳ１８５）。
【００９４】
これを受け、ジョブ制御部１２４は、"ジョブ＃２"の利用機能テーブルＴ２を更新し（印刷：利用中→印刷：利用完了）、印刷制御部１３０に応答を返す（ステップＳ１８６）。
【００９５】
その後、ＦＡＸ送信制御部１３１で管理するＦＡＸ送信動作が完了すると、ＦＡＸ送信制御部１３１は、対象のジョブである"ジョブ＃２"を伴ってジョブ制御部１２４に対して"実行完了"を伝える（ステップＳ１８７）。
【００９６】
これを受け、ジョブ制御部１２４は、"ジョブ＃２"の利用機能テーブルＴ２を更新し（ＦＡＸ送信：利用中→ＦＡＸ送信：利用完了）、"ジョブ＃２"を伴って要求管理部１２２に"実行完了"を伝える（ステップＳ１８８）。
【００９７】
これを受け、要求管理部１２２は、表示制御部１２１に"ジョブ＃２"を伴って"実行完了"を伝え（ステップＳ１８９）、表示制御部１２１は表示部１０８に"ジョブ＃２"の完了を表示する。表示制御部１２１からＦＡＸ送信制御部１３１へは応答が行われる（ステップＳ１９０〜Ｓ１９２）。
【００９８】
＜第２の実施形態＞
第２の実施形態は、第１の実施形態をベースとしつつ、予約したジョブの出力設定を表示する機能を追加したものである。かかる機能は、図８に示すように、画像形成装置１に新たに設けられる予約ジョブ出力設定表示部１６１により提供される。
【００９９】
図９Ａは予約ジョブ出力設定表示部１６１により表示部１０８に表示される予約一覧画面の例を示しており、予約された複数のジョブが一覧１５１に表示されている。この予約一覧画面の一覧１５１から設定内容を確認したい予約ジョブを選択し、「設定確認」ボタン１５２を押下すると、図９Ｂに示すような内容確認画面に遷移し、予約ジョブの設定内容を確認することができる。
【０１００】
＜第３の実施形態＞
第３の実施形態は、第１の実施形態をベースとしつつ、予約したジョブの削除を行える機能を追加したものである。かかる機能は、図８に示すように、画像形成装置１に新たに設けられる予約ジョブ削除部１６２により提供される。
【０１０１】
図９Ａに示した予約一覧画面にて、削除したい予約ジョブを選択し、「削除」ボタン１５４を押下すると、その予約を削除（取り消し）することができる。
【０１０２】
＜第４の実施形態＞
第４の実施形態は、第１の実施形態をベースとしつつ、予約したジョブの出力設定の変更を行える機能を追加したものである。かかる機能は、図８に示すように、画像形成装置１に新たに設けられる予約ジョブ設定変更部１６３により提供される。
【０１０３】
図９Ａに示した予約一覧画面にて、設定内容を変更したい予約ジョブを選択し、「設定変更」ボタン１５３を押下すると、図９Ｃに示すような出力機能の一覧が表示される。ここで、設定内容を変更したい出力機能の「設定変更」ボタン、例えば印刷機能の「設定変更」ボタン１５５を押下すると、図９Ｄに示すような出力に応じた予約内容変更画面が表示される。この予約内容変更画面において所望の操作を行うことにより、予約ジョブの設定内容を変更することができる。
【０１０４】
＜第５の実施形態＞
第５の実施形態は、第１の実施形態をベースとしつつ、予約した多出力のジョブの出力先を個別に削除できるようにし、出力先を削除した際に、出力先を削除したジョブより実行順の早い予約ジョブの出力と出力先を削除したジョブの残った出力に同じものがないときに、出力先を削除したジョブの実行を行えるようにしたものである。かかる機能は、図８に示すように、画像形成装置１に新たに設けられる個別出力削除部１６４により提供される。これにより、予約した多出力のジョブの不必要な出力先を削除することができるため、実行時に不必要な出力を行わないようにすることができる。また、重複のない出力を先に実行させることで、効率的に処理を行わせることができる。
【０１０５】
図１０Ａ〜図１０Ｃは個別出力の削除を伴う処理例を示すシーケンス図である。ここでは、出力として"印刷"および"ＦＡＸ送信"が指定されている"ジョブ＃１"、続く予約ジョブの出力として"印刷"、"蓄積（ＨＤＤ）"が指定された"ジョブ＃２"が投入されるケースにおいて、"ジョブ＃２"の出力先の１つである"印刷"を削除するケースを例に説明する。
【０１０６】
図１０Ａの処理（ステップＳ２０１〜Ｓ２３１）は、既に説明した図４Ａの処理（ステップＳ１０１〜Ｓ１３１）と同様である。
【０１０７】
図１０Ｂの処理（ステップＳ２３２〜Ｓ２５８）は、既に説明した図４Ｂの処理（ステップＳ１３２〜Ｓ１５８）と比較して、ステップＳ２４１の問い合わせ先が文書蓄積制御部１３２になっている点と、ステップＳ２４３における結果に"蓄積：ＯＫ"が含まれる点が異なる。
【０１０８】
図１０Ｃの先頭の時点では、"ジョブ＃２"は"ジョブ＃１"の"印刷"が実行中状態であるため、実行待機状態にある。
【０１０９】
ユーザは削除対象の個別出力のジョブを指定し、表示制御部１２１に対してそのジョブの出力（ここでは"印刷"）の削除を要求する（ステップＳ２５９）。ジョブの指定は図９Ａに示した予約一覧画面の一覧１５１からジョブを選択して「設定変更」ボタン１５３を押下することにより行い、出力の削除の要求は、図９Ｃに示した予約内容変更画面において出力先の機能を"ＯＦＦ"にすることで実現する。
【０１１０】
図１０Ｃに戻り、出力の削除の要求は表示制御部１２１から要求管理部１２２→ジョブ制御部１２４→印刷制御部１３０へと伝わり（ステップＳ２６０〜Ｓ２６２）、その個別出力ジョブは削除される。印刷制御部１３０から表示制御部１２１へは応答が返される（ステップＳ２６３〜Ｓ２６５）。
【０１１１】
"ジョブ＃２"は"ジョブ＃１"の"印刷"が実行中状態であったため実行保留となっていたが、"ジョブ＃２"の出力先である"印刷"が削除されたことによって"ジョブ＃１"の"印刷"の完了を待つ必要がなくなる。
【０１１２】
そのため、"ジョブ＃２"の"印刷"の削除完了をもって（ステップＳ２６６〜Ｓ２６９）、要求管理部１２２は実行順制御部１２３により"ジョブ＃２"のジョブは全て実行が可能と判断する（ステップＳ２７０、Ｓ２７１）。これを受けて、要求管理部１２２は、"ジョブ＃２"の実行をジョブ制御部１２４に対して要求する（ステップＳ２７２〜Ｓ２７５）。要求管理部１２２から印刷制御部１３０へは応答が行われる（ステップＳ２７６、Ｓ２７７）。
【０１１３】
＜第６の実施形態＞
第６の実施形態は、第１の実施形態をベースとしつつ、予約した多出力のジョブの出力先を追加できるようにしたものである。かかる機能は、図８に示すように、画像形成装置１に新たに設けられる個別出力追加部１６５により提供される。これにより、予約した多出力のジョブの出力先を追加することができるので、新規に足りない出力に関して予約しなおす必要がなくなる。
【０１１４】
図１１Ａおよび図１１Ｂは個別出力の追加を伴う処理例を示すシーケンス図であり、図１０Ａ、図１０Ｂに続く処理である（図１０Ｃに図１１Ａおよび図１１Ｂを代える）。ここでは、出力として"印刷"および"ＦＡＸ送信"が指定されている"ジョブ＃１"、続く予約ジョブの出力として"印刷"、"蓄積（ＨＤＤ）"が指定された"ジョブ＃２"が投入されるケースにおいて、"ジョブ＃２"の出力先に"メール送信"を追加するケースを例に説明する。
【０１１５】
図１１Ａの先頭の時点では、"ジョブ＃２"は"ジョブ＃１"の"印刷"が実行中状態にあるため、実行待機状態にある。
【０１１６】
ユーザは個別出力の追加を要求する（ステップＳ３０１）。ジョブの指定は図９Ａに示した予約一覧画面の一覧１５１からジョブを選択して「設定変更」ボタン１５３を押下することにより行い、出力の追加の要求は、図９Ｃに示した予約内容変更画面において出力先の機能を"ＯＮ"にすることで実現する。予約内容変更画面において"送信"をＯＮにすると、図１２に示すようなスキャナ／ファクス画面に切り替わる。ここでユーザは宛先の追加操作を行い、宛先を追加する。宛先の入力方法についてはソフトウェアキーボードを使用した方法や機器に登録済みの宛先をアドレス帳から読み出して設定するといった方法がある。
【０１１７】
図１１Ａに戻り、個別出力の追加の要求は表示制御部１２１→要求管理部１２２→ジョブ制御部１２４へと伝わる（ステップＳ３０２、Ｓ３０３）。
【０１１８】
このあと、要求管理部１２２がジョブ制御部１２４に対してジョブが実行可能かを問い合わせる（ステップＳ３０５〜Ｓ３１２）。ここではこの問い合わせ時点でまだ"ジョブ＃１"の"印刷"が完了していない状況を例に示している。"印刷"の実行がＮＧの状態であるため、要求管理部１２２はジョブの実行を見送る。
【０１１９】
従って、"ジョブ＃１"の"印刷"が完了した時点（ステップＳ３１４〜Ｓ３１７）でジョブの実行が可能になるため、"ジョブ＃２"の出力の実行を開始する（ステップＳ３２０〜Ｓ３２６）。その後の図１１Ｂにおける処理は従前と同様である。
【０１２０】
＜第７の実施形態＞
第７の実施形態は、第１の実施形態をベースとしつつ、予約した多出力のジョブの出力先を個別に変更できるようにし、出力先を変更した際に、出力先を変更したジョブより実行順の早い予約ジョブの出力と出力先を変更したジョブの出力に同じものがないときに、出力先を削除したジョブの実行を行えるようにしたものである。かかる機能は、図８に示すように、画像形成装置１に新たに設けられる個別出力変更部１６６により提供される。これにより、予約した多出力のジョブの出力先を変更することができる。
【０１２１】
図１３Ａおよび図１３Ｂは個別出力の変更を伴う処理例を示すシーケンス図であり、図１０Ａ、図１０Ｂに続く処理である（図１０Ｃに図１３Ａおよび図１３Ｂを代える）。ここでは、出力として"印刷"および"ＦＡＸ送信"が指定されている"ジョブ＃１"、続く予約ジョブの出力として"印刷"、"蓄積（ＨＤＤ）"が指定された"ジョブ＃２"が投入されるケースにおいて、"ジョブ＃２"の出力先の"印刷"を"メール送信"に変更するケースを例に説明する。
【０１２２】
図１３Ａおよび図１３Ｂにおける処理（ステップＳ４０１〜Ｓ４４３）は、個別出力ジョブの削除（図１０Ｃ）と追加（図１１Ａ）の組み合わせで処理される。そのため、処理の詳細な説明は割愛する。
【０１２３】
＜総括＞
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１２４】
１              画像形成装置
１０１          コントローラ
１０２          バス
１０３          ＣＰＵ
１０４          記憶装置
１０５          ネットワークＩ／Ｆ
１０６          外部メディアＩ／Ｆ
１０７          操作部
１０８          表示部
１０９          プロッタデバイス
１１０          スキャナデバイス
１１１          ＦＡＸデバイス
１２１          表示制御部
１２２          要求管理部
１２３          実行順制御部
１２４          ジョブ制御部
１２５          出力順制御部
１２６          ＦＡＸ受信制御部
１２７          読み取り制御部
１２８          ＰＣ受信制御部
１２９          文書読み出し制御部
１３０          印刷制御部
１３１          ＦＡＸ送信制御部
１３２          文書蓄積制御部
１３３          メール送信制御部
１６１          予約ジョブ出力設定表示部
１６２          予約ジョブ削除部
１６３          予約ジョブ設定変更部
１６４          個別出力削除部
１６５          個別出力追加部
１６６          個別出力変更部
２１、２２      外部機器
２３            外部メディア
Ｔ１            ジョブ実行順管理テーブル
Ｔ２            利用機能テーブル
【先行技術文献】
【特許文献】
【０１２５】
【特許文献１】特許第３７１６０８５号公報
【図１】
0005499680.tif 000002
【図２】
0005499680.tif 000003
【図３】
0005499680.tif 000004
【図４Ａ】
0005499680.tif 000005
【図４Ｂ】
0005499680.tif 000006
【図４Ｃ】
0005499680.tif 000007
【図５Ａ】
0005499680.tif 000008
【図５Ｂ】
0005499680.tif 000009
【図５Ｃ】
0005499680.tif 000010
【図６Ａ】
0005499680.tif 000011
【図６Ｂ】
0005499680.tif 000012
【図６Ｃ】
0005499680.tif 000013
【図６Ｄ】
0005499680.tif 000014
【図７Ａ】
0005499680.tif 000015
【図７Ｂ】
0005499680.tif 000016
【図８】
0005499680.tif 000017
【図９Ａ】
0005499680.tif 000018
【図９Ｂ】
0005499680.tif 000019
【図９Ｃ】
0005499680.tif 000020
【図９Ｄ】
0005499680.tif 000021
【図１０Ａ】
0005499680.tif 000022
【図１０Ｂ】
0005499680.tif 000023
【図１０Ｃ】
0005499680.tif 000024
【図１１Ａ】
0005499680.tif 000025
【図１１Ｂ】
0005499680.tif 000026
【図１２】
0005499680.tif 000027
【図１３Ａ】
0005499680.tif 000028
【図１３Ｂ】
0005499680.tif 000029